(57)【特許請求の範囲】
【請求項１】
浴槽の側壁上縁部に装着される基体と、前記基体の上部に取り付けられる昇降手段と、身体障害者等が着座する座席体とから主に構成され、不使用時は取り外し可能な入浴補助装置において、前記昇降手段には浴槽内において垂直方向に立設される支柱を一体的に設けると共に、この支柱に沿って移動かつ回転可能となるように摺動筒体を支柱に遊嵌し、この摺動筒体に前記座席体を取り付けることにより、昇降手段のハンドルの回転操作によってベルトが巻き取られあるいは繰り出され、この摺動筒体及び座席体を支柱に沿って上下に昇降するよう構成し、前記支柱の下端部を基体から浴槽内側に垂れ下がる吊り部材により浴槽底面よりも上方位置に吊り下げられた横杆に連結し、この吊り部材に沿って転動する転動ローラ−を座席体に設けてなることを特徴とする入浴補助装置。
【請求項２】
前記昇降手段の取り付け位置を、基体に対して該基体が取り付けられた浴槽側壁と対向する浴槽側壁側へ向けて移動調節自在に設けたことを特徴とする請求項１に記載の入浴補助装置。
【請求項３】
前記基体に一端を取り付け、他端が前記基体が取り付けられた浴槽側壁と対向する浴槽側壁上縁部まで略水平状に延びるアームからなる補助支え手段を設けたことを特徴とする請求項１又は請求項２に記載の入浴補助装置。
【発明の詳細な説明】
【０００１】
【発明の属する技術分野】
本発明は、身体障害者や老人等の一人で入浴することができない人を入浴させるための入浴補助装置に関するものである。
【０００２】
【従来の技術】
身体障害者や老人等を入浴させる装置として、浴室内に支柱を立設し、この支柱を軸心として回動可能な旋回アームを設け、この旋回アームの先端部に身体障害者等を吊下保持するスリングシート等の支持手段を設け、前記旋回アームの上下動あるいは支持手段の上下動により身体障害者等を入浴させるようにしたリフト装置が知られている。
【０００３】
しかしながら、上記従来のリフト装置では、浴室内に支柱を立設するために大掛かりな工事が必要であり、またそれは永久的設置となってしまう。そのため、リフト装置が不要なときにも取り外すことができなかった。
【０００４】
【発明が解決しようとする課題】
そこで本発明は上記問題点に鑑み、一般住宅の浴室にも工事をせずとも簡単に設置及び取り外しができる入浴補助装置を提供することを課題としている。
【０００５】
【課題を解決するための手段】
本発明は上記課題を解決するために、次のようにした。すなわち、本発明の入浴補助装置は、浴槽の側壁上縁部に装着される基体と、前記基体の上部に取り付けられる昇降手段と、身体障害者等が着座する座席体とから主に構成され、不使用時は取り外し可能な入浴補助装置において、前記昇降手段には浴槽内において垂直方向に立設される支柱を一体的に設けると共に、この支柱に沿って移動かつ回転可能となるように摺動筒体を支柱に遊嵌し、この摺動筒体に前記座席体を取り付けることにより、昇降手段のハンドルの回転操作によってベルトが巻き取られあるいは繰り出され、この摺動筒体及び座席体を支柱に沿って上下に昇降するよう構成し、前記支柱の下端部を基体から浴槽内側に垂れ下がる吊り部材により浴槽底面よりも上方位置に吊り下げられた横杆に連結し、この吊り部材に沿って転動する転動ローラ−を座席体に設けてなることを特徴とする。
【０００６】
また、前記昇降手段の取り付け位置を、基体に対して該基体が取り付けられた浴槽側壁と対向する浴槽側壁側へ向けて移動調節自在に設けたことを特徴とする。
【０００７】
また、前記基体に一端を取り付け、他端が前記基体が取り付けられた浴槽側壁と対向する浴槽側壁上縁部まで略水平上に延びるアームからなる補助支え手段を設けたことを特徴とする。
【０００８】
【作用】
この入浴補助装置により身体障害者や老人等を入浴させるには、まず座席体を上端位置まで上昇させ、入浴状態で使用者の足側となる方向に回転させ、９０度回転させた状態で下降させていく。すると、座席体ロック機構により座席体が固定されるから、移乗介護の負担が軽減される。このとき、座席体の反洗い場側には背もたれを取り付けておく。
【０００９】
この状態から座席体を一旦上昇させて座席体ロック機構を解除し、浴槽側に移動させる。その後、座席体を下降させて身体障害者や老人等の使用者を入浴させる。座席体は転動ローラーが吊り部材に沿って転動するから、昇降時にも左右にふらつかず、使用者に不安感を与えることがなく、また介護者も介護しやすい。
【００１０】
また、補助支え手段であるアームにより反洗い場側の側壁でも荷重を受けているので、基体の浴槽への取り付け強度すなわち挟み込みの度合いをそれほど強力にしなくても確実にこの装置を浴槽に取り付けることができ、また使用者が着座したときに起こる撓みも抑えることができる。
【００１１】
一般家庭の浴槽は、断面が段付き形態のものや側壁内側に傾斜がついているものがある。このような浴槽に装置を取り付ける場合、浴槽内壁に当接する横杆を基準としてとして支柱が垂直方向に立設するように、摺動パイプを進退自在な状態にして昇降手段を横杆が当接している浴槽内壁に対向する浴槽内壁側に向けて移動させながら支柱が垂直方向に立設されたところで固定ねじで摺動パイプを固定すれば、問題なく装着できる。
【００１２】
この入浴補助装置は浴槽から取り外すのも極めて簡単であり、健常者が入浴する際には取り外しておく。このとき、この装置は分解して極めてコンパクトになり、収納スペースをとらず便利であると共に持ち運びもできる。
【００１３】
【実施例】
以下、本発明の一実施例を図面に基づき詳細に説明する。
【００１４】
この入浴補助装置１は、図に示すように浴槽２に装着される。浴槽２の側壁上縁部には基体３が固定される。この基体３は、図３に示すように、平面視Ｔ字型に構成したフレーム４の左右両端部にＬ字形の金具５，５をそれぞれ固着し、この金具５，５と前記フレーム４の中央パイプ部４ａの側部に設けられたねじ軸６の正・逆回転によりこの中央パイプ部４ａに沿って進退可能なＬ字形の金具７とで浴槽２の側壁を挟み込むことにより固定されるようになっている。
【００１５】
前記フレーム４の両端部には筒体８，８が固着されており、この側面にはそれぞれブラケットを介してローラー９，９が転動自在に設けられている。そして、一端を前記フレーム４の左右側端部に止着したベルト等からなる吊り部材１０，１０を前記ローラー９，９を経由して浴槽２内に垂れ下げている。
【００１６】
前記吊り部材１０，１０の下端には水平状の横杆１１の左右端部がそれぞれ連結され、この横杆１１を浴槽２の底面よりもやや上方位置に保持している。そして、この横杆１１の中央部には、この横杆１１の軸回りに回動自在な下側支柱１２が設けられている。なお、前記横杆１１の左右両端部には受け部材１３，１３が浴槽２の内側に当接して横杆１１を浴槽２の内壁から所定間隔で安定状態に保持するようになっている。
【００１７】
１４は、垂直方向に設けられる差し込み筒体であり、その下端には水平方向に延びる摺動パイプ１５が固着されている。そして、この摺動パイプ１５を前記フレーム４の中央パイプ部４ａに嵌合すると共にこの中央パイプ部４ａに沿って進退可能とし、また、固定ねじ１６により適所で固定可能としている。
【００１８】
１７は昇降手段であり、図７に示すように、ハンドル１８の回転操作によりケース１９に内装されるギヤ２０，２１を介して回転する軸材２２にベルト２３の一端を止着し、この軸体２２にベルト２３を巻き取りあるいは繰り出し可能としている。一方、前記ケース１９の下部には、下方へ向けて上側支柱２４と嵌合軸２５が設けられている。そして、この上側支柱２４には摺動筒体２６を遊嵌しており、この摺動筒体２６に前記ベルト２３の下端部が連結されている。すなわち、ハンドル１８を回転操作することにより支柱に沿って摺動筒体２６が昇降するようになっている。なお、前記ハンドル１８は回転ロック機構（図示せず）が設けられており、適所でハンドル１８が固定されるようになっている。
【００１９】
この昇降手段１７は、嵌合軸２５を前記差し込み筒体１４に挿入して基体３に取り付ける。嵌合軸２５には突出片２５ａが設けられており、これを差し込み筒体１４に設けられる切り欠き溝１４ａに係合することにより昇降手段１７の水平回転を規制するように設けている。また、上側支柱２４はその下端部を下側支柱１２の上端部に連結し、摺動筒体２６が各支柱１２，２４に渡り移動可能となっている。
【００２０】
２７は座席体であり、前記摺動筒体２６に着脱可能に設けられている。この座席体２７の前後にはそれぞれ通孔２８，２８が穿設され、背もたれ２９の下端部を抜き差し可能に設けられており、使用者の着座方向により適宜背もたれ２９を取り付けることができるようになっている。また、この座席体２７の摺動筒体２６側の側面には、一対の転動ローラー３０，３０が設けられている。すなわち、座席体２７が浴槽２よりも上方に位置するときには支柱２４を軸心として左右何れ側にも旋回可能な状態となり、浴槽内に下降すると前記転動ローラー３０，３０がそれぞれ吊り部材１０，１０に沿って転動し、座席体２７がふらつかないように設けられている。
【００２１】
３１は基体３のカバーである。このカバー３１の左右両側の上面には隆起部３１ａ，３１ａが形成されており、前記座席体２７を９０度回転させた後に下降させると、その座席体２７の下面部に突設されるストッパー片２７ａが前記隆起部３１ａに係合して、座席体２７が９０度回転した状態で固定される座席体ロック機構３２が構成されている。
【００２２】
３３は補助支え手段であり、Ｌ字型に設けたアーム３４からなる。このアーム３４の一端を基体３の筒体８に嵌合すると、このアーム３４の先端部が反洗い場側に水平方向に延びるように固定される。このＬ字型アーム３４は伸縮可能に設けられており、アーム３４の先端部が反洗い場側の側壁上面に載置するように長さを調節し、浴槽２の左右両側壁間に橋渡し状態とする。すなわち、座席体２７上に使用者が着座したとき、浴槽２に固定した基体３と、側壁下方に当接する受け部材１３，１３と、このアーム３４とにより荷重を受けて、撓みを極力抑えるように設けている。なお、このアーム３４は使用者の背中側に取り付けるようにする。
【００２３】
この入浴補助装置１により身体障害者や老人等を入浴させるには、まず座席体２７を上端位置まで上昇させ、入浴状態で使用者の足側となる方向に回転させ、９０度回転させた状態で下降させていく。すると、座席体ロック機構３２により座席体２７がこの状態で固定される。座席体２７は洗い場側に移動して固定されているから、移乗介護の負担が軽減される。このとき、座席体２７の反洗い場側に位置する通孔２８に背もたれ２９を取り付けておく。
【００２４】
この状態から座席体２７を一旦上昇させて座席体ロック機構３２を解除し、浴槽側に移動させる。その後、座席体２７を下降させて身体障害者や老人等の使用者を入浴させる。座席体２７は転動ローラー３０，３０が吊り部材１０に沿って転動するから、昇降時にも左右にふらつかず、使用者に不安感を与えることがなく、また介護者も介護しやすい。
【００２５】
また、補助支え手段３３であるアーム３４により反洗い場側の側壁でも荷重を受けているので、基体３の浴槽２への取り付け強度すなわち挟み込みの度合いをそれほど強力にしなくても確実にこの装置１を浴槽２に取り付けることができ、また使用者が着座したときに起こる撓みも抑えることができる。
【００２６】
身体障害者を浴槽２から出すには、上述の手順を逆に行えばよく、説明を省略する。
【００２７】
また、一般家庭の浴槽は図１０に示すように、断面が段付き形態のものがある。このような浴槽２に装置１を取り付ける場合、浴槽２の下側の内壁と側壁上縁部との距離が大きくなるが、浴槽２の内壁に当接する横杆１１を基準として支柱１２，２４が垂直方向にするように、摺動パイプ１５を進退自在な状態にして昇降手段１７を取り付ける。昇降手段１７を上記中央パイプ４ａに沿って移動させながら支柱が垂直方向に立設されたところで固定ねじ１６で摺動パイプ１５を固定すればよい。なお、段付き形態の浴槽に限らず、側壁の内側傾斜角度が異なる種々の浴槽にこの入浴補助装置１を装着できることは言うまでもない。
【００２８】
この入浴補助装置１は浴槽２から取り外すのも極めて簡単であり、健常者が入浴する際には取り外しておく。このとき、この装置１は分解して極めてコンパクトになり、収納スペースをとらず便利であると共に持ち運びもできる。
【００２９】
【発明の効果】
以上に説明したように、本発明の入浴補助装置によれば、一般家庭の浴槽にも簡単に装着でき、一人の介護者で身体障害者や老人等を容易かつ安全に入浴させることができる。また、取り外したときには分解してコンパクトに収納できるので、持ち運びも簡単であり、在宅介護に適している。さらに、浴槽内に段が形成されていても取り付け可能であり、ほとんどの家庭浴槽に適応できる汎用性を有する。
【図面の簡単な説明】
【図１】入浴補助装置を浴槽に取り付けた状態を示す正面図
【図２】その平面図
【図３】基体の平面図
【図４】その正面図
【図５】その側面図
【図６】基体から吊り下げられた横杆の正面図
【図７】昇降手段の側断面図
【図８】座席体の平面図
【図９】その正断面図
【図１０】段付き浴槽に入浴補助装置を取り付けた状態を示す正面図
【符号の説明】
１  入浴補助装置
２  浴槽
３  基体
１０  吊り部材
１１  横杆
１２，２４  支柱
１７  昇降手段
２６  摺動筒体
２７  座席体
３３  補助支え手段
【図１】
0003931996.tif 000002
【図２】
0003931996.tif 000003
【図３】
0003931996.tif 000004
【図４】
0003931996.tif 000005
【図５】
0003931996.tif 000006
【図６】
0003931996.tif 000007
【図７】
0003931996.tif 000008
【図８】
0003931996.tif 000009
【図９】
0003931996.tif 000010
【図１０】
0003931996.tif 000011